(57)【要約】      （修正有）【課題】密封性を効果的に確保できるコーヒー豆の収納容器及びそれを組み込んだ供給装置を提供する。【解決手段】容器本体１１と、上部カバー１２と、第一頂針スイッチ１３と、第二頂針スイッチ１４を備える収納容器１である。上部カバーは容器本体の上方にある開口部１１１に装着される。第一窒素ガス輸送ユニット１５を接続し、窒素ガスを容器本体内に輸送するために、第一頂針スイッチ１３が上部カバーに貫設される。第二頂針スイッチ１４は、容器本体の底部に設けられ、第一重量測定ユニットと組み合わせられる。収納容器１を結合する供給装置２は、筐体２１と、筐体内の搬送パイプ２２と、搬送パイプ内に設けられた推進ユニット２３と、推進ユニットを駆動するモータ２４と、筐体の底部に装着された第一電磁バルブスイッチ２５を備える。筐体には第二頂針スイッチと接続する導管２１１が設けられる。搬送パイプ２２は、導管に連通し、下に開設するノズル２２１を有する。【選択図】図１
0003226925.tif 000002
【実用新案登録請求の範囲】
【請求項１】
上方に開口部を有する容器本体と、
前記開口部に取り付けられた上部カバーと、
前記上部カバーに設けられた第一頂針スイッチと、
前記容器本体の底部に設けられた第二頂針スイッチと、を備えることを特徴とする収納容器。
【請求項２】
前記第二頂針スイッチは、円錐面を有することを特徴とする請求項１に記載の収納容器。
【請求項３】
前記円錐面に設けられ、前記円錐面の上の重量を検出して検出信号を外部制御装置に送信する第一重量測定ユニットをさらに備えることを特徴とする請求項２に記載の収納容器。
【請求項４】
前記容器本体内に充填される物品の情報が記憶され、外部走査装置による読み取り又は識別に用いられるデータ識別ユニットをさらに備えることを特徴とする請求項１に記載の収納容器。
【請求項５】
外部窒素ガス供給装置と接続し、窒素ガスを前記容器本体の内部に輸送するために、前記第一頂針スイッチに設けられた第一窒素ガス輸送ユニットをさらに備えることを特徴とする請求項１に記載の収納容器。
【請求項６】
請求項１から５のいずれか一項に記載の収納容器と結合する供給装置であって、
前記供給装置は、
前記第二頂針スイッチに接続するための導管が設けられた筐体と、
前記筐体の内部に設けられ、前記導管と連通され、下に開設するノズルを有する搬送パイプと、
前記搬送パイプの内部に設けられた推進ユニットと、
前記推進ユニットに接続され、前記推進ユニットを駆動するモータと、
前記筐体の底部に設けられた第一電磁バルブスイッチと、を備えることを特徴とする供給装置。
【請求項７】
前記筐体の内部に設けられた計量モジュールをさらに含み、
前記計量モジュールは、
前記ノズルの下方に設けられ、前記ノズルから落下する物品を受ける盛器ユニットと、
前記盛器ユニット内に落下する物品の重量を測るために、前記盛器ユニットと接続された第二重量測定ユニットと、
前記盛器ユニットの底部に設けられた第二電磁バルブスイッチと、を備えることを特徴とする請求項６に記載の供給装置。
【請求項８】
外部窒素ガス供給装置と接続し、窒素ガスを前記筐体の内部に輸送するために、前記筐体に設けられた第二窒素ガス輸送ユニットをさらに備えることを特徴とする請求項７に記載の供給装置。 
【考案の詳細な説明】
【技術分野】
【０００１】
本考案は、収納容器及びそれを組み込んだ供給装置に関し、特にコーヒー豆の供給過程において、コーヒー豆を収納し、コーヒー豆を輸送する供給装置に関する。
【背景技術】
【０００２】
コーヒーメーカーを利用してコーヒーを造る過程において、いかにコーヒー豆を新鮮に収納するかは非常に重要なものである。空気中の酸素はコーヒー豆の重要なパラメータである。コーヒー豆における酸化作用及びカビを防止するために、できるだけコーヒー豆が空気と接触する機会を減少する必要がある。
【考案の概要】
【考案が解決しようとする課題】
【０００３】
現在、市販のコーヒー豆箱やコーヒー豆の包装はいずれも使い捨ての密封包装である。封を切って使うと周りの空気の侵入を効果的に遮断できなくなり、コーヒー豆が酸化してコーヒー豆の品質を損なうことを防ぐことができない。さらに、ある豆箱または包装には密封性があり、封を切った後に真空を利用して内部の空気を抜くが、もう一度開けた際には、豆と空気の接触が避けられず、コーヒー豆の酸化や、コーヒー豆にカビが発生する。
【０００４】
従って、如何にしてコーヒー豆を収納する容器及び供給装置を設計するか、すなわち複数回使用した後でさえも、容器及び装置の密封性を効果的に確保でき、コーヒー豆の新鮮さも確保でき、且つコーヒー豆の収納期限を延長することは、現在の業界で解決されるべき課題である。
【課題を解決するための手段】
【０００５】
従来技術の問題を解決するために、本考案は、上方に開口部を有する容器本体と、前記開口部に取り付けられた上部カバーと、前記上部カバーに設けられた第一頂針スイッチと、前記容器本体の底部に配置された第二頂針スイッチと、を備えた収納容器を提供する。
【０００６】
本考案の第一実施形態において、第二頂針スイッチは、円錐面を有する。
【０００７】
本考案の第一実施形態において、前記円錐面に設けられ、前記円錐面の上の重量を検出して検出信号を外部制御装置に送信する第一重量測定ユニットをさらに備える。
【０００８】
本考案の第一実施形態において、前記容器本体内に充填される物品の情報が記憶され、外部走査装置による読み取り又は識別に用いられるデータ識別ユニットをさらに備える。
【０００９】
本考案の第一実施形態において、外部窒素ガス供給装置と接続し、窒素ガスを前記容器本体の内部に輸送するために、第一頂針スイッチに設けられた第一窒素ガス輸送ユニットをさらに備える。
【００１０】
本考案はさらに、上記発明により提供される収納容器と結合する供給装置であって、前記供給装置は、前記第二頂針スイッチに接続するための導管が設けられた筐体と、前記筐体の内部に設けられ、前記導管と連通され、下に開設するノズルを有する搬送パイプと、前記搬送パイプの内部に設けられた推進ユニットと、前記推進ユニットに接続され、前記推進ユニットを駆動するモータと、前記筐体の底部に設けられた第一電磁バルブスイッチと、を備える供給装置を提供する。
【００１１】
本考案の第一実施形態において、前記筐体の内部に設置された計量モジュールをさらに含み、前記計量モジュールは、前記ノズルの下方に設けられ、前記ノズルから落下する物品を受ける盛器ユニットと、前記盛器ユニット内に落下する物品の重量を測るために、前記盛器ユニットと接続された第二重量測定ユニットと、前記盛器ユニットの底部に設けられた第二電磁バルブスイッチと、を備える。
【００１２】
本考案の第一実施形態において、外部窒素ガス供給装置と接続し、窒素ガスを前記筐体の内部に輸送するために、前記筐体に設けられた第二窒素ガス輸送ユニットをさらに備える。
【考案の効果】
【００１３】
従来技術に対し、本考案で提供される収納容器及びそれを組み込んだ供給装置は、内部でコーヒー豆を輸送する時に常に豆の新鮮さを維持し、外部の空気との接触を避け、コーヒー豆の収納期限を有効に延長できる。また、内部の豆重量測定装置を通じて、お客様が設定した重さの豆を正確に得ることができる。淹れるコーヒーの薄さや濃さを避けるために、非常に実用的で革新的なものである。
【図面の簡単な説明】
【００１４】
【図１】本考案の収納容器及び収納容器と結合する供給装置の概略図である。
【考案を実施するための形態】
【００１５】
以下、特定の具体的な実施形態によって本実用新案の実施形態を説明するが、当業者は、本明細書の開示する内容から本実用新案の他の利点および効果を容易に理解することができる。
【００１６】
本明細書に添付された図面に示された構造、比率、大きさなどは、本明細書に開示された内容に合わせてのみ使用され、当業者の理解と閲覧のためであり、本実用新案の実施可能な条件を限定するものではない。いかなる構造の修飾、比例関係の変更または大きさの調整も、本実用新案により発生できる効果及び達成できる目的に影響が及ばない場合、いずれも本実用新案に開示された技術内容がカバーできる範囲内にあるべきである。また、本明細書で引用された「上」、「内」、「外」、及び「一」等の用語は、記載の明瞭を容易にするだけであり、本実用新案の実施可能な範囲を限定するものではない。その相対的な変更または調整は、実質的に技術内容を変更しない場合、本実用新案の実施可能な範囲とみなされる。
【００１７】
図１は、本考案の収納容器及びそれを組み込んだ供給装置の概略図である。図１に示すように、本考案は、収納容器１を提供し、収納容器１は、容器本体１１と、上部カバー１２と、第一頂針スイッチ１３と、第二頂針スイッチ１４とを含む。容器本体１１の上方には開口部１１１（開口１１１とも言う）を有し、上部カバー１２は開口部１１１に取り付けられている（装着されている）。第一頂針スイッチ１３は上部カバー１２を貫通し、第二頂針スイッチ１４は容器本体１１の底部を貫通して設けられている。上部カバー１２を開口部１１１から取り外して、コーヒー豆を開口部１１１から容器本体１１に入れることができる。第一頂針スイッチ１３と第二頂針スイッチ１４はともにスプリング頂針スイッチであり、スプリング頂針スイッチは容器本体１１をシール状態に維持するために用いられる。
【００１８】
一実施形態においては、収納容器１は、第一窒素ガス輸送ユニット１５（第一窒素搬送部１５とも言う）をさらに含むことができる。第一窒素搬送部１５の一端には、外部窒素ガス供給装置３が接続され、他端には第一頂針スイッチ１３が設けられている。第一頂針スイッチ１３が第一窒素搬送部１５に接続されると、スイッチのピンをおして外部窒素ガス供給装置３の窒素ガス（単に窒素とも言う）を容器本体１１に流し込むことができる。外部窒素ガス供給装置３は、窒素ビンまたは窒素を格納することができる任意の容器であってもよい。窒素は不活性ガスであるため、窒素を充填し、収納容器１を密封状態にすることにより、収納容器１は、容器内部に貯蔵されている、各種の酸化により変質したりカビが生えたりしやすい食品や物品、例えばコーヒー豆などを効果的に守り、保管することができる。
【００１９】
本考案の別の実施形態では、収納容器１は、無線周波数識別タグ（ＲＦＩＤ  ｔａｇ）、またはＱＲ  ｃｏｄｅなどを含むデータ識別ユニット（示されていない）を備え、コーヒー豆の生産領域、品種、生産履歴、焙煎日付、および最良の賞味期限などの情報を記憶することができ、データ識別ユニットが外部走査装置（外部読取装置とも言う）による読み取り、識別に用いられることで、収納容器１に収納されている豆に関する情報が取得され、当該情報は、顧客にコーヒー豆を提供または交換する根拠として役立つ。
【００２０】
図１に示すように、本考案は、また、収納容器１と組み合わせる供給装置２を提供する。供給装置２は、主として、筐体２１（箱体２１とも言う）と、搬送パイプ２２（搬送管２２とも言う）と、推進ユニット２３と、モータ２４と、第一電磁バルブスイッチ２５とを含む。筐体２１には導管２１１が設けられている。搬送パイプ２２は、筐体２１内に設けられ、導管２１１と接続されていてもよく、搬送パイプ２２は、下方に設けられたノズル２２１（パイプ口２２１とも言う）を有している。推進ユニット２３は、搬送パイプ２２の内部に設けられ（装着され）、モータ２４は推進ユニット２３に接続されている。第一電磁バルブスイッチ２５は、筐体２１の底部に設けられている。
【００２１】
供給装置２の導管２１１は、収納容器１を接続するための第二頂針スイッチ１４である。本考案の一実施形態では、第二頂針スイッチ１４は、円錐面１４１（円錐状面、テーパ面、コーン状面とも言う）を有してもよく、円錐状面１４１には、第一重量測定ユニット（図示せず）が設けられてもよい。コーン状面１４１の斜面は、コーヒー豆などが上に留まらないように設計されている。前記第一重量測定ユニット（第一重量感知ユニットとも言う）は、円錐状面１４１の先端の重みを検出するために使用される。コーヒー豆が徐々に光を使用してこのコーン状面より低い場合、コーン状面１４１は、検出されない重量のために、外部制御装置に感知信号（検出信号）を送り、従業員に対して、コーヒー豆を収納容器１に再充填する必要があるか、または収納容器１を交換する必要があるように注意する。
【００２２】
さらに、供給装置２は、盛器ユニット２６１と、第二重量測定ユニット２６２と、第二電磁バルブスイッチ２６３とを含む計量モジュールを含むことができる。盛器ユニット２６１は、ノズル２２１の下に設けられ、ノズル２２１で落としたもの（コーヒー豆）を受ける。第二重量測定ユニット２６２（第二重量感知ユニット２６２とも言う）は、盛器ユニット２６１に落下した物品の重さを測定するために、盛器ユニット２６１に接続されている。第二電磁バルブスイッチ２６３は、盛器ユニット２６１の底部に設けられている（装着されている）。
【００２３】
容器本体１１の内部から第二頂針スイッチ１４に接続された導管２１１を通ったコーヒー豆が搬送パイプ２２内に落下すると、搬送パイプ２２の内部に設けられた推進ユニット２３はモータ２４の駆動を受けて回転し、落下し続けるコーヒー豆を搬送パイプ２２の方向に推進し、コーヒー豆を下方に開設したノズル２２１から落下させる。本考案の実施形態では、推進ユニット２３は、螺旋状プロペラ（螺旋状推入器とも言う）とすることができる。コーヒー豆はノズル２２１から盛器ユニット２６１に向かって落下し、このとき、第二電磁バルブスイッチ２６３は閉状態となる。第二重量測定ユニット２６２は、荷重セル（Ｌｏａｄ  Ｃｅｌｌ）とすることができ、盛器ユニット２６１のコーヒー豆の相対重量を測定することができ、第二重量測定ユニット２６２で測定したコーヒー豆の重さがお客様が設定した重量に達した場合、制御信号をモータ２４に送り、推進ユニット２３にコーヒー豆の搬送を停止させる。
【００２４】
盛器ユニット２６１のコーヒー豆が設定された重量に達したとき、第二電磁バルブスイッチ２６３が開かれ、コーヒー豆が一時収納エリア２５１に落下することができる。一時収納エリア２５１は、第一電磁バルブスイッチ２５と第二電磁バルブスイッチ２６３との間の過渡領域である。コーヒー豆が一時収納エリア２５１に落下した後、第二電磁バルブスイッチ２６３がオフになり、下方の第一電磁バルブスイッチ２５がオンになる。
【００２５】
また、本考案の他の実施形態では、供給装置２は、外部窒素ガス供給装置３と接続して筐体２１の内部に窒素を搬送するための、筐体２１に設けられた（搭載された）第二窒素ガス輸送ユニット２７（第二窒素搬送部２７とも言う）を含んでもよい。筐体２１内に窒素ガスを充満させる目的は、窒素ガスが充満している収納容器１との圧力バランスを図るためであり、筐体２１内部に外界環境圧力より大きな状態を維持させ、第一電磁バルブスイッチ２５をオンにした後、圧力差及び豆重量により一時収納エリア２５１のコーヒー豆を筐体２１外部に搬送させるためである。なお、収納容器１と筐体２１は窒素ガスで満たされており、そのため、コーヒー豆が容器本体１１から筐体２１に搬送される時にコーヒー豆を非酸化状態に維持することができ、外部の空気が入らないようにして、コーヒー豆を新鮮に保つことができる。
【００２６】
説明したいのは、本考案はコーヒー豆を適用例としているが、実際には他の豆類または類似した鮮度を維持したい食品に適用することができ、本考案はコーヒー豆を例として説明するだけで、その適用範囲を限定するものではない。
【００２７】
以上より、本考案が提供する収納容器及び供給装置は、内部に窒素ガスを充満させることにより、コーヒー豆を供給容器から外部に再搬送する際に、いつでも空気との接触を避けて酸化やカビを抑制し、本考案に採用された豆の重量測定装置（重量測定ユニット）を利用して、顧客が設定した重量を達成することができる。この装置はコーヒー豆の新鮮さと正確な測定によって、お客様の好みに合うコーヒー一杯を入れることを可能にする。
【００２８】
上記実施形態は、本実用新案を制限するためのものではなく、本実用新案の原理及び機能についてのみ例示的に説明する。この技術に熟知している者はいずれも、本考案の精神及び範囲を逸脱しない限り、上記実施形態を修正することができる。したがって、本実用新案の権利保護範囲は、実用新案登録請求の範囲に記載されているものとする。
【符号の説明】
【００２９】
１  収納容器、１１  容器本体、１１１  開口部（開口）、１２  上部カバー、１３  第一頂針スイッチ、１４  第二頂針スイッチ、１４１  円錐面、１５  第一窒素ガス輸送ユニット（第一窒素搬送部）、２  供給装置、２１  筐体（箱体）、２１１  導管、２２  搬送パイプ（搬送管）、２２１  ノズル（パイプ口）、２３  推進ユニット、２４  モータ、２５  第一電磁バルブスイッチ、２５１  一時収納エリア、２６１  盛器ユニット、２６２  第二重量測定ユニット（第二重量感知ユニット）、２６３  第二電磁バルブスイッチ、２７  第二窒素ガス輸送ユニット（第二窒素搬送部）、３  外部窒素ガス供給装置。 
【図１】
0003226925.tif 000003
【手続補正書】
【提出日】令和2年3月16日(2020.3.16)
【手続補正１】
【補正対象書類名】実用新案登録請求の範囲
【補正対象項目名】全文
【補正方法】変更
【補正の内容】
【実用新案登録請求の範囲】
【請求項１】
上方に開口部を有する容器本体と、
前記開口部に取り付けられた上部カバーと、
前記上部カバーに設けられた第一頂針スイッチと、
前記容器本体の底部に設けられた第二頂針スイッチと、を備えることを特徴とする収納容器。
【請求項２】
前記第二頂針スイッチは、円錐面を有することを特徴とする請求項１に記載の収納容器。
【請求項３】
前記円錐面に設けられ、前記円錐面の上の重量を検出して検出信号を外部制御装置に送信する第一重量測定ユニットをさらに備えることを特徴とする請求項２に記載の収納容器。
【請求項４】
外部窒素ガス供給装置と接続し、窒素ガスを前記容器本体の内部に輸送するために、前記第一頂針スイッチに設けられた第一窒素ガス輸送ユニットをさらに備えることを特徴とする請求項１に記載の収納容器。
【請求項５】
請求項１から４のいずれか一項に記載の収納容器と結合する供給装置であって、
前記供給装置は、
前記第二頂針スイッチに接続するための導管が設けられた筐体と、
前記筐体の内部に設けられ、前記導管と連通され、下に開設するノズルを有する搬送パイプと、
前記搬送パイプの内部に設けられた推進ユニットと、
前記推進ユニットに接続され、前記推進ユニットを駆動するモータと、
前記筐体の底部に設けられた第一電磁バルブスイッチと、を備えることを特徴とする供給装置。
【請求項６】
前記筐体の内部に設けられた計量モジュールをさらに含み、
前記計量モジュールは、
前記ノズルの下方に設けられ、前記ノズルから落下する物品を受ける盛器ユニットと、
前記盛器ユニット内に落下する物品の重量を測るために、前記盛器ユニットと接続された第二重量測定ユニットと、
前記盛器ユニットの底部に設けられた第二電磁バルブスイッチと、を備えることを特徴とする請求項５に記載の供給装置。
【請求項７】
外部窒素ガス供給装置と接続し、窒素ガスを前記筐体の内部に輸送するために、前記筐体に設けられた第二窒素ガス輸送ユニットをさらに備えることを特徴とする請求項６に記載の供給装置。